(57)【要約】      （修正有）【課題】門形ラーメンなどの構造物の据え付け精度が高く、作業性にも優れた柱脚用金物を提供すること。【解決手段】基礎コンクリート２の上面に敷設される下プレート４と、構造物３を載せるための上プレート５と、前記上下プレート４，５を間隔を保ち且つ平行に保持するためのスペーサ６と、上下プレート４，５を一体化するための締結部材７と、ジャッキボルト１１と、から構成され、前記上プレート５には、結合部材１６を備え、前記下プレート４には、アンカー孔１４と、下プレート４の水平を確保するために前記ジャッキボルト１１を進退可能にねじ込む水準調整用ネジ孔１０と、を備えている柱脚用金物１により、ジャッキボルト１１端部の突出量を個々に変化させ、基礎コンクリート２の上面が傾斜している場合も、下プレート４を水平に敷設でき、その結果上プレート５に載る構造物３も正確に据え置かれて、建築物の強度が向上する。【選択図】図１
2005127064.tif 000002
【特許請求の範囲】
【請求項１】
基礎コンクリート（２）の上面に敷設される下プレート（４）と、構造物（３）を載せるための上プレート（５）と、前記上下プレート（４，５）を間隔を保ち且つ平行に保持するためのスペーサ（６）と、上下プレート（４，５）を一体化するための締結部材（７）と、ジャッキボルト（１１）と、から構成され、
前記上プレート（５）には、構造物（３）と結合するための結合部材（１６）を備え、前記下プレート（４）には、アンカーボルト（１２）を挿通し且つナット（１３）で固定するためのアンカー孔（１４）と、前記固定前に基礎コンクリート（２）の上面に対して下プレート（４）の水平を確保するために前記ジャッキボルト（１１）を進退可能にねじ込む水準調整用ネジ孔（１０）と、を備えていることを特徴とする柱脚用金物。
【発明の詳細な説明】
【技術分野】
【０００１】
本発明は、木造建築物において、ラーメンや柱などの構造物を基礎コンクリートに据え付ける際に使用される柱脚用金物に関する。
【背景技術】
【０００２】
木造建築物を構築する際は、建築物を支持する基礎コンクリートを地表面に打設した後、土台や柱や梁などの骨格となる構造物を組み上げていく。通常は、基礎コンクリートの上面に土台を水平に敷設して、この土台の上に柱を直立させる工法が一般的だが、土台を介在させずに基礎コンクリートの上面に構造物を直接据え付ける場合もある。この例としては、車庫などに適用される門形に組み上げられたラーメン形式の構造物が挙げられ、基礎コンクリートの上面に柱脚用金物を敷設して、この柱脚用金物に構造物を結合させている。
【発明の開示】
【発明が解決しようとする課題】
【０００３】
基礎コンクリートの上面は、傾斜がなく全体が均一の高さで、しかも表面が滑らかであることが理想だが、現実には傾斜や凹凸が残ることは避けられない。一方基礎コンクリートの上に載せられる構造物は、建築物の荷重を均等に支えるため、柱は垂直に、梁は水平に、というように傾斜がないよう据え付ける必要があるものの、基礎コンクリートの上面は前記のように各種の寸法誤差を含むため、何らかの対策が必要である。この対策としては、構造物と基礎コンクリートとの接触面に、ごく薄い鉄板などを部分的に挟み込み、傾斜や凹凸を吸収する方法が一般的だが、この際に使用する鉄板の厚さが限定されるため、調整が不十分で建築物の強度が不足する恐れがあり、また各種の鉄板を用意して試行錯誤を繰り返すため、作業効率にも問題がある。
【０００４】
前記の門形に組み上げられたラーメン形式の構造物（以下、門形ラーメン）などは、土台を介せず、基礎コンクリートに直接据え付けられる。そのため土台は、門形ラーメンが載せられる区間だけが途切れており、この土台間の隙間に門形ラーメンの根元が挟み込まれる形態になる。通常は、土台の据え付けが終わった後に門形ラーメンを据え付けるため、土台の途切れている狭い領域内で門形フレームを固定する作業を行う必要があり、ボルトの締め付けなどの作業が行いにくい。
【０００５】
本発明はこうした実状を基に開発されたもので、門形ラーメンなどの構造物を基礎コンクリートに据え付ける際、構造物の据え付け精度が高く、しかも作業性にも優れた柱脚用金物の提供を目的としている。
【課題を解決するための手段】
【０００６】
前記の課題を解決する請求項１記載の発明は、基礎コンクリートの上面に敷設される下プレートと、構造物を載せるための上プレートと、前記上下プレートを間隔を保ち且つ平行に保持するためのスペーサと、上下プレートを一体化するための締結部材と、ジャッキボルトと、から構成されている。そして前記上プレートには、構造物と結合するための結合部材を備え、前記下プレートには、アンカーボルトを挿通し且つナットで固定するためのアンカー孔と、前記固定前に基礎コンクリートの上面に対して下プレートの水平を確保するために前記ジャッキボルトを進退可能にねじ込む水準調整用ネジ孔と、を備えていることを特徴とする柱脚用金物であり、構造物の据え付け精度が高く、しかも施工時の作業性にも優れている。
【０００７】
本発明による柱脚用金物は、下プレートと上プレートの二枚のプレートから構成され、この二枚は建築物の荷重に耐えることができれば、形状に制限はない。下プレートは基礎コンクリートの上面に敷設され、建築物の荷重を基礎コンクリートに分散する役目があり、また上プレートは門形フレームなどの構造物と一体化され荷重を受け止める役割がある。そして下プレートと上プレートとの間には、スペーサが挟まれているため、各プレートは接触することなく一定の間隔を置いて平行に配置され、上プレートに作用する荷重はスペーサを経由して下プレートに伝達される。したがってスペーサを複数使用する場合、個々のスペーサの長さを厳密に管理する必要があり、また各プレートは曲がりがなく面粗さも抑える必要がある。
【０００８】
下プレートと上プレートとスペーサは、一体化することで始めて荷重を受け止めることができる。そこで上プレートに設けられた締結孔から、下プレートの締結ネジ孔に向けてボルトなどの締結部材を差し込む必要がある。締結孔はボルトの胴部が通過できるキリ孔で機能を果たすが、締結ネジ孔は締結部材と接合できるようメネジが形成されている。当然ながら締結孔と締結ネジ孔は、対になって設置される。
【０００９】
下プレートを単に基礎コンクリートの上面に置いただけでは、基礎コンクリートの傾斜や凹凸の影響で水平に敷設することは難しい。この対策として、下プレートには姿勢調整のため水準調整用ネジ孔が複数設けられている。水準調整用ネジ孔は、下プレートの表裏面を貫通する孔にメネジが加工されたもので、この上方からジャッキボルトを差し込むと、下プレートの底面からジャッキボルトの端部が突出するが、この突出長さはジャッキボルトを旋回させて上下方向に進退させ自在に調整が可能である。そこで基礎コンクリート上面の凹凸や、下プレートの姿勢に応じてジャッキボルトの突出長さを個別に調整することで、各種の誤差要因を吸収して下プレートを水平に設置することが可能で、これにより上プレートも同様に水平に設置される。水準調整用ネジ孔は、下プレートの四隅など場所を変えて複数個が配置される。
【００１０】
下プレートは、基礎コンクリートに固定する必要があり、このため基礎コンクリート中には、あらかじめアンカーボルトが埋め込まれている。このアンカーボルトは、基礎コンクリート上面から垂直方向に突出しており、下プレートにはアンカーボルトを挿通させるためのアンカー孔を備えている。したがってアンカーボルトをアンカー孔の中を貫通させた後、アンカーボルトの端部からナットを入れて締め上げると、下プレートが固定される。なお下プレートの高さをジャッキボルトで調整することで、基礎コンクリートとの間の隙間が大きくなる場合、この隙間にモルタルなどを流し込み埋めることもある。
【００１１】
上プレートには、門形フレームなどの構造物と一体化するため、構造物にはめ合わせるための結合部材が装備されているが、この形態については限定されず自在である。この一例としては上プレートから構造物に突出するシャフトを設け、一方で構造物の底面にはシャフトを差し込むための穴加工を行い、シャフトに構造物をはめ合わせて、さらにシャフトと構造物を貫通する固定ピンを打ち込むことで、双方を結合する方法が挙げられる。
【発明の効果】
【００１２】
請求項１記載の発明のように、下プレートと上プレートをスペーサを介して対向させる形態の柱脚用金物により、調整ボルト端部の突出長さを個別に調整することで、基礎コンクリート上面の凹凸や傾斜を吸収して下プレートを水平に敷設することが可能で、その結果構造物を載せる上プレートも水平に据え置くことができるため、構造物が本来の強度を発揮することができる。しかもスペーサや調整ボルトにより上プレートの高さを精密に調整することができるため、事前に組み上げられたラーメン構造物も高精度に据え付けることが可能である。また本発明による柱脚用金物は、基礎コンクリートが凝固した時点で据え付け可能であり、土台や柱などを組み付け前に据え付け作業が完了するため、作業性に優れている。
【発明を実施するための最良の形態】
【００１３】
図１は、本発明による柱脚用金物１の形状および使用形態を示す斜視図である。下プレート４と上プレート５はいずれも同一の長方形であり、表裏面を貫通する複数の孔が加工されている。下プレート４には、アンカーボルト１２を通過させるためのアンカー孔１４が二カ所に、ジャッキボルト１１を取り付けるための水準調整用ネジ孔１０が五カ所に、締結部材７（ボルト）を取り付けるための締結ネジ孔８が四カ所に、それぞれ設けられており、このうち水準調整用ネジ孔１０と締結ネジ孔８には、メネジが加工されている。また下プレート４の表面には、施工の際に位置合わせを行うため、矢印形のマーカ２１が打刻されている。そのほか基礎コンクリート２には、下プレート４を固定するためのアンカーボルト１２が埋め込まれており、下プレート４を基礎コンクリート２の上に置く際は、アンカー孔１４の中にアンカーボルト１２を挿通させる。なおアンカー孔１４は、アンカーボルト１２の直径よりも大きく双方の間に隙間が生じるため、下プレート４の据え付け位置は、ある程度の調整が可能である。
【００１４】
下プレート４を規定の据え付け位置に置いただけでは、基礎コンクリート２の上面の施工状態に応じて下プレート４が傾斜している恐れがある。そこで全五カ所の水準調整用ネジ孔１０にジャッキボルト１１を取り付け、この端部の突出長さを個別に変化させて、下プレート４が水平になるよう調整を行う。これにより五本のジャッキボルト１１は荷重を均一に基礎コンクリート２に伝達できるが、下プレート４と基礎コンクリート２は接触していない。下プレート４の位置決めが終了してから、ナット１３をアンカーボルト１２に取り付け、これを締めていくと下プレート４の敷設が完了する。
【００１５】
下プレート４の敷設が終わると、下プレート４の四隅に設けられた締結ネジ孔８と同心になるようスペーサ６を載せていく。このスペーサ６は円筒形で、内部に締結部材７が通過できる構造で、また全てのスペーサ６の全長は揃えている。スペーサ６を置き終えると、この上に上プレート５を載せて、スペーサ６と上プレート５の締結孔９とが同心になるよう位置を調整してから、締結部材７を上から差し入れる。締結部材７は、締結孔９とスペーサ６を貫通して締結ネジ孔８と接合するため、下プレート４と上プレート５とスペーサ６は一体化される。なお構造物３を載せる際の支障にならないよう、上プレート５の締結孔９は、締結部材７の頭部を埋め込むため、座グリ穴１９が加工されている。
【００１６】
上プレート５には、門形ラーメンや柱などの構造物３が載せられるが、これらを安定して支持するため、上プレート５には結合部材１６を備えている。図１に示す結合部材１６は円柱状のシャフトであり、相手方の構造物３の底部には結合部材１６を差し込むための穴が事前に加工されている。構造物３を上プレート５に載せた段階で、結合部材１６は構造物３の中に入り込むが、さらに双方を結合するため固定ピン１７が水平方法に打ち込まれる。そのため結合部材１６の側面には、固定ピン１７を挿通するための固定ピン孔１８が加工されている。なお図１において、アンカーボルト１２やジャッキボルト１１や締結部材７は、それぞれ一本しか描かれていないが、実際は全ての箇所に使用されている。
【００１７】
図２は、本発明の柱脚用金物１が据え付けられた状態を示す断面図で、図２（イ）は図１のＡ−Ａ断面から見たもので、図２（ロ）は図１のＢ−Ｂ断面から見たものである。図２（イ）のように下プレート４は、ジャッキボルト１１の端部が下方に突出しているため、下プレート４は基礎コンクリート２の上面から離れており、また締結部材７はスペーサ６の内部を貫通して、下プレート４と上プレート５を一体化している。そして図２（ロ）のようにアンカーボルト１２は根元が基礎コンクリート２に埋め込まれ、この端部が下プレート４のアンカー孔１４を通過している。なおアンカーボルト１２とアンカー孔１４の間には位置調整のため隙間があり、この隙間を埋めるためナット１３と下プレート４との間には、座金１５を介在させている。そのほか上プレート５と結合部材１６は一体化しており、構造物３は底部を上プレート５に受け止められ、また構造物３の内部には結合部材１６が差し込まれており、双方を貫通する固定ピン１７が打ち込まれている。
【００１８】
図３は、本発明の柱脚用金物１が据え付けられた状態を示す断面図で、図１のＣ−Ｃ断面から見たものである。基礎コンクリート２の上に本発明の柱脚用金物１が載った状態で、上プレート５に載せられた構造物３には、結合部材１６であるシャフトが差し込まれており、また構造物３と結合部材１６を一体化するため、固定ピン１７が双方を貫通するように打ち込まれている。そのほか柱脚用金物１の両側には、基礎コンクリート２の上面に土台２０が据え置かれているが、上プレート５と土台２０の双方の上面は、高さを概ね揃えており、構造物３を載せる際は、全ての作業を土台より高い位置で行えるため作業効率に優れる。なお柱脚用金物１は、土台２０を固定する前に設置することが作業性の観点から望ましい。
【００１９】
図４は、基礎コンクリート２の上面に傾斜や凹凸がある場合でも、ジャッキボルト１１により下プレート４が水平に配置できることを示す側面図である。図のように個々のジャッキボルト１１の端部の突出長さを変えることで、基礎コンクリート２の状態に関わらず下プレート４を水平に配置できるため、この上に載る構造物３も基礎コンクリート２に影響されることなく正確に水平と垂直を保つことができる。なお基礎コンクリート２と下プレート４の隙間が大きい場合は、この間にモルタルなどを流し込み、隙間を埋める場合もある。
【００２０】
図５は、結合部材１６の形態例を示す斜視図で、図５（イ）は結合部材１６が円柱状のシャフトであり上プレート５と分離できる形式で、図５（ロ）は結合部材１６がプレート状の形式である。図５（イ）は、結合部材１６の形状は図１などと同様に円柱状のシャフトだが、上プレート５の下方からボルトを差し入れることで双方を一体化するものである。また図５（ロ）は、上プレート５の上面に別のプレートを垂直に接合したもので、相手側の構造物３には、この形状に合わせた溝が加工されており、上プレート５に載せられた構造物３には、側面から固定ピン１７が打ち込まれて一体化される。
【００２１】
図６は、本発明を利用して門形ラーメン（構造物３）を組み上げた状態の斜視図である。この図による建築物は、車庫や倉庫として使用されることを想定しており、断面は長方形状で構造物３の周囲に天井や壁を取り付けるだけの単純な構成である。両側面に基礎コンクリート２を打設した後に、片側三カ所計六ヶ所に柱脚用金物１を設置するが、この際に全ての上プレート５が水平で、しかも全てが同一の高さになるよう調整を行う必要がある。この後に構造物３を載せることで建築物は十分な強度が確保される。
【図面の簡単な説明】
【００２２】
【図１】本発明による柱脚用金物の形状および使用形態を示す斜視図である。
【図２】（イ）（ロ）  本発明の柱脚用金物が据え付けられた状態を示す断面図で、（イ）は図１のＡ−Ａ断面から見たもので、（ロ）は図１のＢ−Ｂ断面から見たものである。
【図３】本発明の柱脚用金物が据え付けられた状態を示す断面図で、図１のＣ−Ｃ断面から見たものである。
【図４】基礎コンクリートの上面に傾斜や凹凸がある場合でも、ジャッキボルトにより下プレートが水平に配置できることを示す側面図である。
【図５】（イ）（ロ）  結合部材の形態例を示す斜視図で、（イ）は結合部材が円柱状のシャフトで上プレートと分離できる形式で、（ロ）は結合部材がプレート状の形式である。
【図６】本発明を利用して門形ラーメンを組み上げた状態の斜視図である。
【符号の説明】
【００２３】
１  柱脚用金物
２  基礎コンクリート
３  構造物（門形ラーメンなど）
４  下プレート
５  上プレート
６  スペーサ
７  締結部材（ボルトなど）
８  締結ネジ孔
９  締結孔
１０  水準調整用ネジ孔
１１  ジャッキボルト
１２  アンカーボルト
１３  ナット
１４  アンカー孔
１５  座金
１６  結合部材
１７  固定ピン
１８  固定ピン孔
１９  座グリ穴
２０  土台
２１  マーカ
【図１】
2005127064.tif 000003
【図２】
2005127064.tif 000004
【図３】
2005127064.tif 000005
【図４】
2005127064.tif 000006
【図５】
2005127064.tif 000007
【図６】
2005127064.tif 000008